(57)【要約】      （修正有）【課題】接着剤なしで互いに固定することができるアッパー及び取り外し可能なアウトソールを有するモジュール式履物構造を提供する。【解決手段】モジュール式履物構造は、取り外し可能なアウトソール１２とともにアッパー１４を備える。アッパー１４及びアウトソール１２は両方とも、踏み面を有する底部を備える。取り外し可能な中敷きが、アッパー１４の内部に嵌め込まれ、クッション性のあるミッドソール１６及び構造プレート１８の両方を含む。アウトソール１２は、接着剤を用いないでアッパー１４に取り外し可能に固定される。【選択図】図２
2008178687.tif 000002
【特許請求の範囲】
【請求項１】
モジュール式履物構造であって、
底部を有するアッパーであって、該底部は踏み面を有する、アッパーと、
底部を有する取り外し可能なアウトソールであって、該アウトソールの前記底部は、前記アッパーの前記底部の下側に延在し、該アウトソールの前記底部は、踏み面を有する、取り外し可能なアウトソールと、
前記アッパーの内部の取り外し可能な中敷きであって、該取り外し可能な中敷きは、ミッドソール及びプレートを有し、該ミッドソール及び該プレートはそれぞれ、該ミッドソール及び該プレート間に機械的噛み合いを生じるための構造を有する、取り外し可能な中敷きと、
前記アッパーから延出するコネクタと、
前記アウトソールから延出するストラップであって、前記コネクタと嵌め合わされ、それにより、前記アウトソールを前記アッパーに固定することができる、ストラップと
を備える、モジュール式履物構造。
【請求項２】
前記ミッドソール及び前記プレートの一方は、突起を有し、
前記ミッドソール及び前記プレートの他方は、前記突起を受け入れる寸法の切り欠きを有し、
前記突起は該切り欠きに挿入され、それにより、前記ミッドソール及び前記プレートを機械的に噛み合わせるようにする、請求項１に記載のモジュール式履物構造。
【請求項３】
前記突起の各々にアンダーカットが付けられ、各切り欠きは、前記突起の前記アンダーカットに締まり嵌めされる傾斜カットの壁によって画定される、請求項２に記載のモジュール式履物構造。
【請求項４】
前記ミッドソール及び前記プレートの前記一方は、踵部分及び足前部部分を有し、
前記ミッドソール及び前記プレートの前記一方は、複数の前記突起を有し、
前記突起の少なくとも１つが、前記踵部分内に配置され、
前記突起の少なくとも１つが、前記足前部部分内に配置される、請求項３に記載のモジュール式履物構造。
【請求項５】
前記ミッドソールは、クッション材料から形成され、
前記プレートは、剛性又は半剛性材料から形成される、請求項４に記載のモジュール式履物構造。
【請求項６】
前記ミッドソールは、ＥＶＡから形成され、
前記プレートは、ＴＰＵ、ＴＰＲ及びＰＶＣのうちの１つから形成される、請求項５に記載のモジュール式履物構造。
【請求項７】
前記ストラップは、前記アウトソール及び前記アッパーを取り外し可能に連結するための踵ストラップであり、
該踵ストラップは、
該踵ストラップの一部分が前記アッパーの一部分と嵌り合う取り付け位置と、
前記アウトソールを前記アッパーから分離させることができる取り外し位置と
を有する、請求項６に記載のモジュール式履物構造。
【請求項８】
モジュール式履物構造であって、
底部を有するアッパーであって、該底部は、踏み面を有する、アッパーと、
前記アッパーの少なくとも一部分を覆うアウトソールであって、踏み面を有する、アウトソールと、
前記アウトソールから延出して、前記アッパーを前記アウトソールに取り外し可能に取り付けることができるようにする取り付け手段であって、前記アッパーが前記アウトソールに固定される取り付け位置と、前記アッパーを前記アウトソールから離脱させ、それにより、該アウトソールを該アッパーから手動で取り外して、該アッパーの前記底部を露出させることができる取り外し位置とを有する、取り付け手段と、
前記アッパーの内部に位置付けられる中敷きと
を備える、モジュール式履物構造。
【請求項９】
前記取り付け手段は、
前記アウトソール及び前記アッパーの一方から延出する踵ストラップと、該アウトソール及び該アッパーの他方から延出するコネクタとを有し、
前記取り付け手段が前記取り付け位置にあるとき、前記踵ストラップは前記コネクタに締結され、
前記取り付け手段が前記取り外し位置にあるとき、前記踵ストラップは前記コネクタに締結されない、請求項８に記載のモジュール式履物構造。
【請求項１０】
前記踵ストラップは、前記アウトソールに連結された第１の端部と、穴を画定する第２の端部とを有し、
前記コネクタは、前記アッパーから延出する突起を有し、
前記取り付け手段が前記取り付け位置にあるとき、前記突起は前記穴に挿通される、請求項９に記載のモジュール式履物構造。
【請求項１１】
前記アッパー及び前記アウトソールはそれぞれ踵部分を有し、
前記踵ストラップの前記第１の端部は、前記アウトソールの前記踵部分に連結され、
前記突起は、前記アッパーの前記踵部分から延出する、請求項１０に記載のモジュール式履物構造。
【請求項１２】
前記アッパーは、足前部部分及びつま先部分を有し、
前記アウトソールは、前記足前部部分の上方に延出する足前部ストラップと、前記つま先部分の上方に延在するつま先キャップとを有する、請求項１１に記載のモジュール式履物構造。
【請求項１３】
前記取り外し可能な中敷きは、クッション性のあるミッドソール及び構造プレートを有し、
前記ミッドソール及び前記プレートの一方が、複数の突起を有し、
前記ミッドソール及び前記プレートの他方は、前記突起と整合する複数の穴を有し、
前記突起が前記穴に挿通され、それにより、前記ミッドソール及び前記プレートを機械的に噛み合わせるようにする、請求項１２に記載のモジュール式履物構造。
【請求項１４】
モジュール式履物構造であって、
側部及び底部を有するアッパーと、
底部、及び該底部から上方に延出する側壁を有するアウトソールであって、該アウトソールの前記底部及び前記側壁は協働して、前記アッパーの少なくとも一部分を囲い込む、アウトソールと、
前記アウトソール及び前記アッパーを取り外し可能に取り付ける取り付け機構であって、該取り付け機構は、
前記アウトソールに取り付けられた第１のコネクタ、及び前記アッパーに取り付けられた第２のコネクタを有し、
該第１のコネクタ及び該第２のコネクタは互いに嵌り合い、それにより、前記アウトソールを前記アッパーに固定し、
前記第１のコネクタ及び前記第２のコネクタは、手動で分離されることができ、それにより、前記アウトソールを前記アッパーから取り外して、該アッパーの前記底部を露出させる、取り付け機構と、
前記アッパーの内部の取り外し可能な中敷きであって、該中敷きは、クッション性のあるミッドソール及び構造プレートを有し、該ミッドソール及び該プレートは、該ミッドソール及び該プレートを機械的に噛み合わせるための構造を有する、取り外し可能な中敷きと
を備える、モジュール式履物構造。
【請求項１５】
前記アッパーの前記底部は第１の踏み面を有し、
前記アウトソールの前記底部は、第２の踏み面を有する、請求項１４に記載のモジュール式履物構造。
【請求項１６】
前記履物構造は踵領域を有し、
前記第１のコネクタは、前記踵領域内で前記アウトソールから延出する踵ストラップであり、
前記第２のコネクタは、前記踵領域内で前記アッパーから延出する突起である、請求項１４に記載のモジュール式履物構造。
【請求項１７】
前記アウトソールは第１の材料から形成され、
前記アッパー及び前記踵ストラップは、前記第１の材料と異なる第２の材料から形成される、請求項１６に記載のモジュール式履物構造。
【請求項１８】
前記ミッドソール及び前記プレートの一方は複数の突起を有し、
前記ミッドソール及び前記プレートの他方は、前記突起と整合する複数の穴を有し、前記突起を前記穴に挿通し、それにより、前記ミッドソール及び前記プレートを噛み合わせるようにする、請求項１４に記載のモジュール式履物構造。
【請求項１９】
前記アッパーは足前部部分を有し、
前記取り付け機構は、前記アウトソールに取り付けられて前記アッパーの前記足前部部分の上方に延在する足前部ストラップを有する、請求項１４に記載のモジュール式履物構造。
【請求項２０】
前記アッパーはつま先部分を有し、
前記アウトソールは、前記アッパーの前記つま先部分の上方に延在するつま先キャップを有する、請求項１９に記載のモジュール式履物構造。
【発明の詳細な説明】
【技術分野】
【０００１】
［発明の背景］
本発明は、履物、特に環境に優しいモジュール式履物構造に関する。
【０００２】
履物が汚れたとき、特にハイキング及びトレイルランニング等の屋外活動に参加した後に着用者が室内を移動するとき、履物の問題が生じることはよく知られている。これらの活動の一般的な結果として、履物のアウトソール上にごみ又は泥が集まり、着用者は室内に入る前に履物を脱がなければならないことがしばしばある。このように履物を脱ぐことは、第２の履物を準備するか、又は履物をまったく履かないで室内に進まなければならないかのいずれかであろうから、着用者にとって望ましくないであろう。
【０００３】
上記問題に加えて、近年は、環境に優しい履物構造の開発がますます注目されるようになってきた。たとえば、履物のアッパーの構成に使用される革は、今ではそのなめし処理の環境フットプリント（environmental footprint）に基づいて選択される場合が多い。また、一部のアウトソールは現在、成形工程中に切り落とされた再粉砕くずゴム又は古タイヤ等の産業供給源から再利用されたクラムラバー等の再利用ゴム材料から製造される。
【０００４】
履物の他の環境面についての取り組みは、アッパー、アウトソール及びミッドソールを取り付けるための処理を含めて、詳細には行われていない。ミッドソールを含む履物は一般的に、型枠内でミッドソールをアッパーに「直接取り付け」する処理で構成される。履物構造を完成するために、アウトソールが、アッパーと反対側でミッドソールに接着される。他の取り付け方法には、アッパー、アウトソール及びミッドソールの１つ又は複数の間の縫い目及び接着剤のさまざまな組み合わせが含まれる。これらの方法の多くは長年にわたって存続しているが、それらの環境への影響に関して、特に通常に使用される接着剤の性質に関して、いくらかの懸念が高まってきた。
【発明の開示】
【発明が解決しようとする課題】
【０００５】
［発明の概要］
本発明は、接着剤なしで互いに固定することができるアッパー及び取り外し可能なアウトソールを有するモジュール式履物構造を提供する。
【課題を解決するための手段】
【０００６】
一実施の形態では、本発明は、アッパー、取り外し可能なアウトソール及び取り外し可能な中敷きを有する履物構造に関する。アッパーは、踏み面を有する底部を備える。アウトソールは、アッパーの底部の下側に延在し、かつ踏み面も有する底部を含む。中敷きは、アッパーの内部に嵌め込まれ、クッション性のあるミッドソール及び構造プレートの両方を有する。ミッドソール及びプレートはそれぞれ、それらの間の機械的噛み合いを可能にする構造を有する。
【０００７】
別の実施の形態では、履物構造は、アウトソールをアッパーに取り外し可能に取り付けるための取り付け機構を有する。取り付け機構は、アウトソールがアッパーに固定される第１の位置と、着用者がアウトソールをアッパーから手動で取り外すことができる第２の位置とを有する。取り付け機構は、アウトソール及びアッパー間に延在してアッパー上の突起と嵌り合う踵ストラップであってもよい。別の実施の形態では、取り付け機構は、アッパーのつま先部分の上方に延在する、アウトソール上のつま先キャップと、アッパーの足前部部分の上方に延在する、アウトソール上の足前部ストラップとを有する。
【０００８】
取り外し可能なアウトソールにより、着用者は、アウトソールを取り付けた丈夫な屋外用靴として、アウトソールを取り外したスリッパ状の室内靴として、いずれにも使い分けることができる。アッパーの底部の踏み面は、着用者が室内にいる間に履く、魅力的且つ機能的で清潔な履物製品を提供する。また、ミッドソール及び構造プレート間の機械的噛み合わせ、並びにアッパー及びアウトソール間の取り付け機構により、接着剤を用いない、したがって環境に優しい履物構造が実現される。
【０００９】
本発明の上記及び他の目的、利点及び特徴は、現在の実施形態の詳細な説明及び図面を参照することにより、容易に理解且つ評価されるであろう。
【発明を実施するための最良の形態】
【００１０】
［現在の実施形態の詳細な説明］
本発明の一実施形態を図１に示し、全体的に１０で表す。図１及び図２を参照すると、本発明は概ね、アウトソール１２、アッパー１４、ミッドソール１６及びプレート１８を備える。構成部品は、接着剤を用いない構造で互いに嵌め合わされることができ、アッパー１４がアウトソール１２から取り外し可能である。
【００１１】
アウトソール１２は、多種多様な従来のソール材料、たとえば天然ゴム及び合成ゴム、革、ＰＶＣ、ＥＶＡ及びポリウレタンから製造されてもよい。一実施形態では、アウトソール１２は、射出成形によって形成されるが、それはさまざまな方法で形成されてもよい。図１０〜図１２に示すように、アウトソール１２は、上面２２及び下側の接地面２４を有する底部２０を備える。接地面は、溝２６及び隆起突起２８を含む多種多様な踏み面パターンのうちの１つを含んでもよい。側壁３０が、底部２０の上面２２から上方に延出している。側壁３０は、足前部部分３２、アーチ部分３４、踵部分３６、内面３７及び外面３９を有してもよい。図示の実施形態では、側壁は、アウトソール１２全体の周囲に延在している。代替の実施形態では、側壁３０は、底部２０の選択部分だけから上方に延出してもよい。図示のように、側壁３０は、上縁部４０を有し、また側壁は、縁部４０に近づくのに伴って、徐々に内向きに湾曲する。また、側壁は、アッパー（後述する）の一部分及び使用者のつま先の上方に側壁３０を巻き付ける、上方延出部４２及び内向き延出部４４を有するつま先部分３８を備えてもよい。
【００１２】
一実施形態では、アウトソール１２は、側壁３０の上縁部４０から、アウトソール１２の足前部部分３２内の使用者の足の上部の上方に延びるストラップ４６を備える。図２０に示すように、ストラップ４６は、上縁部４０の両側部から延出する１対の延長部分４８、５０から成る。延長部分４８、５０は、たとえばアウトソール１２と一体成形することにより、アウトソール１２と一体として形成されてもよい。図示の実施形態では、延長部分４８、５０はそれぞれ端部５２、５４を有し、端部５２、５４は弾性コネクタ５６によって結合される。図示のように、弾性コネクタ５６は、コネクタ５６を延長部分４８、５０に取り付けるために、延長部分４８、５０の端部５２、５４内の穴に挿通される１対の突起６０ａ、６０ｂを有する。別法として、コネクタ５６は、縫い目等の別の方法で延長部分に取り付けられてもよい。そうではなく、コネクタ５６を省いて、延長部分４８、５０が、足前部の上方に延在する単一部材片であってもよい。
【００１３】
アウトソール１２は、アウトソール１２をアッパー（より詳細に後述する）に連結するためのコネクタも含むことができる。図１９に示すように、一実施形態では、コネクタは、アウトソール１２の踵部分３６から延出する可撓性材料製の細いストリップでもよい踵ストラップ６４である。一実施形態では、踵ストラップ６４は、布地から成り、これをアッパー１４と同一の布地にして、ストラップ６４がアッパー１４から延出する外観を与えてもよい。図示のように、踵ストラップ６４は、側壁３０の内面３７に縫い付けられた第１の端部６６（図１１に示す）を有する。本実施形態では、側壁３０は、踵部分３６内に穴６８を有し、踵ストラップは、穴６８に挿通される第２の端部７０を有する。第２の端部７０は、従来の方法により、アッパー１４等の靴１０の別の部分に取り付けることができる。図示の実施形態では、第２の端部７０は、布地に連結されたプラスチックインサート７２を有し、インサートは、ストラップ６４を取り付ける部品上の突起９６を受け入れるための穴７４及びスリット７６を有する。図１９に示すように、踵ストラップ６４は、アッパー１４をアウトソール１２に固定するために突起９６が穴７４内に受け入れられる取り付け位置（実線で示す）と、アッパーをアウトソール１２から取り外すためにストラップ６４が突起９６から取り外される取り外し位置（仮想線で示す）との間を移動可能である。別法として、ストラップ６４は、スナップファスナ、Ｖｅｌｃｒｏ（登録商標）又は別の取り付け機構を有してもよい。
【００１４】
一実施形態では、アッパー１４は、底部８０、バンプ８２、クォータ８４、８６及び踵パネル８８を有する。アッパー１４は、布地、革、ビニル及び他の既知の材料等の多種多様な材料で構成されてもよく、概ねアウトソール１２の側壁３０内にぴったり嵌る寸法である。アッパー１４の底部８０は、上面９０（図７に示す）及び下面９２（図９に示す）を有する。下面９２は、たとえば下面９２に所望のパターンで取り付けられたグリップ材料（grip material）９４を有することにより、接地面であるように設計されてもよい。一実施形態では、図１９に詳細に示すように、踵パネル８８は、外向きに突出する突起９６を有する。突起９６は、ノブ１００を端部に設けたシャフト９８を有し、それにより、突起９６をアウトソール１２上の踵ストラップ６４の穴７４に挿通することができるようになっている。別法として、踵パネル８８は、アウトソール１２に取り付けるための別の機械的締結機構を有してもよい。
【００１５】
ミッドソール１６及びプレート１８が、アッパー１４の内部に嵌まって、クッション性のある安定化中敷きを形成する。一実施形態では、ミッドソール１６は、ＥＶＡ又は他のクッション材料から形成され、アッパー１４の底部８０の概略形状を有する周縁部１０２を備える。ミッドソール１６は、上面１０４、下面１０６、踵部分１０８、アーチ部分１１０及び足前部部分１１２をさらに有する。一実施形態では、ソックライナー（図示せず）が、上面１０４に取り付けられる。ソックライナーは、布地で構成されてもよく、また、接着剤等のさまざまな従来方法の１つにより、又はミッドソール１６をソックライナー１１４に直接付着成形する(direct attach molding)ことにより、上面１０４に取り付けられてもよい。図１３に示すように、ミッドソール１６の下面１０６は、プレート１８との機械的な噛み合いを生じるための複数の突起１１６を有する。図示の実施形態では、ミッドソール１６は、踵部分１０８内の２つの突起１１６ａ、１１６ｂ、アーチ部分１１０内の３つの突起１１６ｃ〜１１６ｅ及び足前部部分内の６つの突起１１６ｆ〜１１６ｋを有する。代替の実施形態では、ミッドソール１６の突起１１６の数を増減してもよく、また、突起１１６を異なる配置にしてもよく、たとえば、アーチ部分１１０内の突起１１６ｃ〜１１６ｅを省いてもよい。図１６を参照すると、一実施形態では、各々の上記突起１１６が、プレート１８の部分と噛み合う形状である。たとえば、図示の実施形態では、各突起１１６は、傾斜縁部１２１でアンダーカットが付けられ、そのため、外縁部１１８に近づくのに伴って、その断面積が増加する。別法として、突起は異なる断面形状を有してもよい。
【００１６】
プレート１８は、ミッドソール１６とアッパー１４の底部８０との間の位置でアッパー１４内へ嵌め込まれる。一実施形態では、アッパー１４及びミッドソール１６に或る程度の剛性を追加するために、プレート１８は剛性又は半剛性材料から構成される。たとえば、プレート１８は、ＴＰＵ、ＴＰＲ又はＰＶＣから射出成形されてもよい。別法として、プレート１８をナイロン、ゴム、合成ゴム又はシリコーン等の他の材料から製造してもよいが、これらの代替材料のいずれかを使用する場合、おそらくインサート１６は射出成形によって製造されないであろう。一実施形態では、プレート１８は、上面１１７、下面１１９、足前部部分１２０、アーチ部分１２２及び踵部分１２４を有し、ミッドソール１６の形状にほぼ対応する形状である。別法として、プレート１８を、たとえば足前部部分１２０内へ延出させないことにより、ミッドソールより小さくすることができるであろう。
【００１７】
一実施形態において、プレート１８は、ミッドソール１６と機械的に噛み合うように設計される。これにより、所望の場合、接着剤を使用しないでミッドソール１６及びプレート１８を連結することができる。図示のように、プレート１８は、ミッドソール１６上の突起１１６と整合する複数の穴１２３を有し、それにより、各穴１２３が突起１１６を受け入れ、それによりミッドソール１６及びプレート１８を噛み合わせることができる。図１６に示すように、各穴１２３は、ミッドソール１６との噛み合いを増加する断面形状を有するように開けられることができる。図示の実施形態では、図２５に示すように、各穴１２３は傾斜カットでプレート１８に開けられ、それにより、穴１２３の断面が下面１１９から上面１１７に向かって狭くなって、各アンダーカット付き突起１１６と各穴１２３との間に締まり嵌めが生じる。別の実施形態では、突起１１６の異なった断面形状に対応するように、穴１２３の断面形状を変化させてもよい。
【００１８】
靴構造１０の製造は、アウトソール１２、アッパー１４、ミッドソール１６及びプレート１８をそれぞれ個別に形成し、その後、部品を互いに組み付けることを含む。一実施形態では、部品は、接着剤を使用することなく、靴構造１０に組み付けられることができる。この実施形態では、ミッドソール１６及びプレート１８を、たとえばミッドソール１６上の突起をプレート１８上の対応の穴１２３内に嵌め込むことにより、機械的に噛み合わされる（図１５に示す）。噛み合わせたミッドソール１６及びプレート１８は次に、アッパー１４内に挿入され（図１７を参照）、それにより、プレート１８の底面１１９が、アッパー１４の底部８０の上面９０に係合する。次に、アッパー１４をアウトソール１２に挿入し（図１８を参照）、それにより、バンプ８２がアウトソールのストラップ４６の下側に延在し、アッパー１４の底部８０の下面９２が、アウトソール１２の上面２２に係合するようにする。プレート１８の剛性は、アッパー１２をアウトソール１２内に保持するためにアッパー１４をアウトソールの側壁３０に押し当てるのを助ける。次に、アウトソール１２をアッパー１４に固定するために、踵ストラップ６４を突起９６に締結することにより、踵ストラップ６４を取り付け位置へ移動させる。使用の際に、使用者は、踵ストラップ６４を外し、アウトソール１２をアッパー１４から引き外すことにより、靴１０を脱ぐことなく、アウトソール１２を取り外すことができる。
【００１９】
図２１及び図２２は、アッパーの２つの代替の実施形態１４’及び１４”を示し、これらではバンプ、クォータ及び踵部分が変更されている。たとえば、図２２はひも締め型のアッパーを示し、図２１はブーツ型のアッパーを示す。
【００２０】
以上の説明は、本発明の現在の実施形態を説明するものである。均等の原則を含む特許法の原則に従って解釈されるべきである、添付の特許請求の範囲に規定されるような本発明の精神及び広範の態様から逸脱することなく、さまざまな代替及び変化を加えることができる。たとえば、単数形の冠詞（「a」、「an」）、定冠詞（「the」）又は「前記（「said」）」を使用した単数形での特許請求の範囲の要素のいずれの言及も、その要素を単数形に制限するものと解釈されるべきではない。
【図面の簡単な説明】
【００２１】
【図１】本発明の一実施形態の斜視図である。
【図２】図１の実施形態の分解図である。
【図３】図１の一実施形態の側面図である。
【図４】図１の一実施形態の上面図である。
【図５】図１の一実施形態の背面図である。
【図６】一実施形態によるアッパーの側面図である。
【図７】一実施形態によるアッパーの上面図である。
【図８】一実施形態によるアッパーの背面図である。
【図９】一実施形態によるアッパーの底面図である。
【図１０】一実施形態によるアウトソールの側面図である。
【図１１】一実施形態によるアウトソールの上面図である。
【図１２】一実施形態によるアウトソールの背面図である。
【図１３】一実施形態によるミッドソールの底面図である。
【図１４】一実施形態によるプレートの底面図である。
【図１５】噛み合わせたミッドソール及びプレートの底面図である。
【図１６】図１５の１６−１６線に沿った、噛み合わせたミッドソール及びプレートの断面図である。
【図１７】アッパー内へ部分的に挿入した中敷きの側面図である。
【図１８】アウトソール内へ部分的に挿入したアッパーの側面図である。
【図１９】取り付け位置にある踵ストラップの拡大背面斜視図であり、踵ストラップを仮想線で取り外し位置に示す。
【図２０】足前部ストラップの拡大上面図である。
【図２１】第２の実施形態の斜視図である。
【図２２】第３の実施形態の斜視図である。
【図１】
2008178687.tif 000003
【図２】
2008178687.tif 000004
【図３】
2008178687.tif 000005
【図４】
2008178687.tif 000006
【図５】
2008178687.tif 000007
【図６】
2008178687.tif 000008
【図７】
2008178687.tif 000009
【図８】
2008178687.tif 000010
【図９】
2008178687.tif 000011
【図１０】
2008178687.tif 000012
【図１１】
2008178687.tif 000013
【図１２】
2008178687.tif 000014
【図１３】
2008178687.tif 000015
【図１４】
2008178687.tif 000016
【図１５】
2008178687.tif 000017
【図１６】
2008178687.tif 000018
【図１７】
2008178687.tif 000019
【図１８】
2008178687.tif 000020
【図１９】
2008178687.tif 000021
【図２０】
2008178687.tif 000022
【図２１】
2008178687.tif 000023
【図２２】
2008178687.tif 000024
【外国語明細書】
2008178687.tif 000025
2008178687.tif 000026
2008178687.tif 000027
2008178687.tif 000028
2008178687.tif 000029
2008178687.tif 000030
2008178687.tif 000031
2008178687.tif 000032
2008178687.tif 000033
2008178687.tif 000034
2008178687.tif 000035
2008178687.tif 000036
2008178687.tif 000037
2008178687.tif 000038
2008178687.tif 000039
2008178687.tif 000040
2008178687.tif 000041
2008178687.tif 000042
2008178687.tif 000043
2008178687.tif 000044
2008178687.tif 000045
2008178687.tif 000046
2008178687.tif 000047
2008178687.tif 000048
2008178687.tif 000049
2008178687.tif 000050
2008178687.tif 000051
2008178687.tif 000052